(57)【特許請求の範囲】
【請求項１】
透析器に新鮮な透析液を供給する供給室および透析器から使用済みの透析液を回収する回収室を備えたチャンバと、上記チャンバの供給室に水を供給する水供給通路と、該水供給通路に接続されて透析液の原液を供給する透析液原液通路と、上記チャンバの供給室に洗浄液の原液を供給する洗浄液原液通路とを備え、
上記供給室で上記水供給通路からの水と上記透析液原液通路からの透析液の原液とによって透析液を調製し、また上記供給室で上記水供給通路からの水と上記洗浄液原液通路からの洗浄液の原液とによって洗浄液を調製する血液透析装置において、
上記透析液原液通路の一端に透析液の原液を貯溜する原液タンクへと挿入するノズルを設けるとともに、上記ノズルを収容する収容部材と、当該収容部材に接続された洗浄液廃液通路とを設け、
透析液原液通路を洗浄する際、上記収容部材にノズルを収容させて、上記チャンバの供給室で調製した洗浄液を上記透析液原液通路へと供給し、当該洗浄液を該透析液原液通路において透析液の原液の送液方向とは逆方向に流通させてから、当該洗浄液をノズルの内部から上記収容部材を排出させ、上記洗浄液廃液通路より排出することを特徴とする血液透析装置。
【請求項２】
上記チャンバの回収室から使用済みの透析液を排出させる透析液排液通路を設け、
上記洗浄液廃液通路を上記透析液排液通路に連通させたことを特徴とする請求項１に記載の血液透析装置。
【請求項３】
上記チャンバの上記供給室および回収室を可撓性を有するダイアフラムによって区画するとともに、
上記チャンバの回収室と透析器との間に設けた透析液回収通路と、上記水供給通路における上記透析液原液通路の接続位置よりも上流側の位置との間に、第２水供給通路を設け、
上記チャンバの供給室で洗浄液が調製されると、上記水供給通路および上記第２水供給通路を介して水を上記チャンバの回収室に供給して、ダイアフラムを変形させることにより供給室の洗浄液を上記透析液原液通路へと供給することを特徴とする請求項１または請求項２のいずれかに記載の血液透析装置。
【請求項４】
上記透析液原液通路に透析液原液供給設備から透析液の原液を供給するようにし、
さらに上記透析液原液通路の端部にコネクタを設けて上記透析液原液供給設備に接続可能とするとともに、該コネクタを上記洗浄液廃液通路に接続可能として、
透析液原液通路を洗浄する際には、上記コネクタにより透析液原液通路と洗浄液廃液通路とを連通させることを特徴とする請求項１ないし請求項３のいずれかに記載の血液透析装置。
【発明の詳細な説明】
【技術分野】
【０００１】
本発明は血液透析装置に関し、チャンバの供給室で透析液の原液と水とによって透析液を調製し、また上記供給室で洗浄液の原液と水とによって洗浄液を調製する血液透析装置に関する。
【背景技術】
【０００２】
従来、透析器に新鮮な透析液を供給する供給室および透析器から使用済みの透析液を回収する回収室を備えたチャンバと、上記チャンバの供給室に水を供給する水供給通路と、該水供給通路に接続されて透析液の原液を供給する透析液原液通路と、上記チャンバの供給室に洗浄液の原液を供給する洗浄液原液通路とを備えた血液透析装置が知られている。
このような血液透析装置では、透析治療中においては透析液原液通路を介して透析液の原液を上記チャンバの供給室に向けて送液し、該供給室の内部で透析液の原液と水供給通路からの水とによって透析液を調製するようになっている。
一方透析治療の終了後には、血液透析装置を構成する各液体通路を洗浄するため、上記供給室に上記水供給通路および上記洗浄液原液通路からそれぞれ水と洗浄液の原液とを供給して、洗浄液を調製するようになっている（特許文献１）。
【先行技術文献】
【特許文献】
【０００３】
【特許文献１】特許第４１８２４６１号公報
【発明の概要】
【発明が解決しようとする課題】
【０００４】
しかしながら特許文献１の場合、この洗浄液の原液が透析液原液通路を透析液の原液と同じ方向に流通するような構成となっているため、この透析液原液通路は所定の濃度に調製された洗浄液で洗浄されたものとはなっていない。
また特許文献１では、チャンバの回収室に接続された透析液回収通路と上記水供給通路との間に配管を設けて、当該配管を介して洗浄液を水供給通路に供給し、その下流の透析液原液通路等を洗浄するようになっている。
しかしながらこのような構成とした場合、透析液回収通路を流通した血液の老廃物等が水供給通路に流入する可能性があり、該水供給通路や透析液原液通路が汚染される恐れもあった。
このような問題に鑑み、本発明は透析液原液通路を所定の濃度に調製された洗浄液で洗浄することが可能な血液透析装置を提供するものである。
【課題を解決するための手段】
【０００５】
すなわち、請求項１にかかる血液透析装置は、透析器に新鮮な透析液を供給する供給室および透析器から使用済みの透析液を回収する回収室を備えたチャンバと、上記チャンバの供給室に水を供給する水供給通路と、該水供給通路に接続されて透析液の原液を供給する透析液原液通路と、上記チャンバの供給室に洗浄液の原液を供給する洗浄液原液通路とを備え、
上記供給室で上記水供給通路からの水と上記透析液原液通路からの透析液の原液とによって透析液を調製し、また上記供給室で上記水供給通路からの水と上記洗浄液原液通路からの洗浄液の原液とによって洗浄液を調製する血液透析装置において、
上記透析液原液通路の一端に透析液の原液を貯溜する原液タンクへと挿入するノズルを設けるとともに、上記ノズルを収容する収容部材と、当該収容部材に接続された洗浄液廃液通路とを設け、
透析液原液通路を洗浄する際、上記収容部材にノズルを収容させて、上記チャンバの供給室で調製した洗浄液を上記透析液原液通路へと供給し、当該洗浄液を該透析液原液通路において透析液の原液の送液方向とは逆方向に流通させてから、当該洗浄液をノズルの内部から上記収容部材を排出させ、上記洗浄液廃液通路より排出することを特徴としている。
【発明の効果】
【０００６】
上記請求項１の発明によれば、透析液原液通路に接続させて洗浄液廃液通路を設けることにより、上記チャンバの供給室で調製した洗浄液を透析液原液通路に供給し、該洗浄液を透析液の原液とは逆方向に流通させてから、該洗浄液を上記洗浄液廃液通路から廃液することが可能となるため、透析液原液通路を調製された洗浄液で洗浄することが可能であり、血液の老廃物が流入するような配管を行う必要がなくなる。
【図面の簡単な説明】
【０００７】
【図１】本実施例にかかる血液透析装置の液回路図。
【図２】洗浄時の動作説明図であって、洗浄液の原液をチャンバの供給室に供給する際の動作説明図。
【図３】洗浄時の動作説明図であって、Ａ液タンク通路を洗浄する際の動作説明図。
【図４】洗浄時の動作説明図であって、Ａ液設備通路を洗浄する際の動作説明図。
【発明を実施するための形態】
【０００８】
以下図示実施例について説明すると、図１は透析治療を行う血液透析装置１の液回路を示し、上記血液透析装置１は図示しない制御手段によって制御されるようになっている。
上記血液透析装置１は、拡散、限外ろ過、浸透圧により血液と透析液との間で透析を行う透析器２と、該透析器２に接続された血液回路３と、透析器２に接続された透析液回路４とを備えている。
また本実施例の血液透析装置１は透析液を調製可能となっており、透析液の原液であるＡ液およびＢ液を貯溜するＡ液タンク５およびＢ液タンク６を備えるほか、病院等の施設に設けられてＡ液供給ポート７ＡおよびＢ液供給ポート７Ｂを備えた原液供給設備７に接続可能となっている。
【０００９】
上記血液回路３は、患者の血管に接続されて上記透析器２に血液を供給する動脈側通路１１と、透析器２から患者に血液を戻す静脈側通路１２とから構成され、これら通路はシリコーン製のチューブで構成されている。
動脈側通路１１および静脈側通路１２の端部にはそれぞれ穿刺針１１ａ、１２ａが設けられており、また動脈側通路１１には血液を送液する血液ポンプ１３が設けられている。
【００１０】
透析液回路４は、新鮮な透析液を透析器２に供給するとともに使用済みの透析液を回収する第１透析液チャンバ２１および第２透析液チャンバ２２と、これら第１、第２透析液チャンバ２１、２２と透析器２との間に配設されて新鮮な透析液を流通させる透析液供給通路２３と、透析器２と第１、第２透析液チャンバ２１、２２との間に配設されて使用済みの透析液を流通させる透析液回収通路２４とを備え、これらの通路はシリコーン製のチューブで構成されている。
第１透析液チャンバ２１および第２透析液チャンバ２２は同形となっており、内部が２枚のダイアフラムによって、新鮮な透析液を供給するための供給室２１ａ，２２ａと、使用済みの透析液を回収するための回収室２１ｂ、２２ｂと、これら供給室２１ａ，２２ａと回収室２１ｂ、２２ｂとの間に形成された中間室２１ｃ、２２ｃとに区画されている。
上記第１、第２透析液チャンバ２１、２２の供給室２１ａ，２２ａには、図示しない浄水供給手段から浄水を供給する水供給通路２５が接続され、該水供給通路２５には浄水を送液する給液ポンプ２６が設けられるとともに、該給液ポンプ２６の下流側で２方向に分岐して供給室２１ａ，２２ａに接続され、分岐した通路にはそれぞれ制御手段の制御によって開閉される給液弁Ｖ１，Ｖ２が設けられている。
また上記水供給通路２５には、後に詳述するが透析液の原液を供給する透析液原液通路２７が接続されており、これにより上記供給室２１ａ，２２ａの内部で水と透析液の原液とを混合させて透析液を調製するようになっている。
さらに上記水供給通路２５には、後に詳述するが洗浄液の原液を供給する洗浄液原液通路２８が接続されており、これにより上記供給室２１ａ，２２ａの内部で水と洗浄液の原液とを混合させて洗浄液を調製するようになっている。
【００１１】
一方、上記回収室２１ｂ、２２ｂには、図示しない排液タンク等に使用済み透析液を排出させる透析液廃液通路２９が接続され、上記透析液廃液通路２９は、その上流部分が２方向に分岐して各回収室２１ｂ、２２ｂに接続され、当該分岐部分にはそれぞれ制御手段の制御によって開閉される排液弁Ｖ３，Ｖ４が設けられている。
上記中間室２１ｃ、２２ｃの内部にはシリコーンオイルが充満しており、また中間室２１ｃ、２２ｃにはこのシリコーンオイルを増減させるシリコーンオイルポンプ３０Ａ，３０Ｂが接続されている。
上記シリコーンオイルポンプ３０Ａ，３０Ｂがシリコーンオイルを給排すると、中間室２１ｃ、２２ｃの容積が増減し、例えば透析治療時に上記シリコーンオイルポンプ３０Ａ，３０Ｂを作動させて、中間室２１ｃ、２２ｃの容積を減少させることで、透析器２において血液からの除水を行うことが可能となっている。
【００１２】
上記透析液供給通路２３の上流部分は、２方向に分岐してそれぞれ上記第１、第２透析液チャンバ２１、２２の供給室２１ａ，２２ａに接続されており、各分岐部分にはそれぞれ制御手段の制御によって開閉される供給弁Ｖ５，Ｖ６が設けられている。
また透析液供給通路２３の下流部分はコネクタ２３ａを介して上記透析器２に接続可能となっており、透析液回路４を洗浄する際には透析器２から離脱されるようになっている。
さらに透析液供給通路２３には、透析液の有害成分を除去する透析液フィルタＦ１と、上記制御手段の制御によって開閉される第１開閉弁Ｖ７とが設けられている。
上記透析液フィルタＦ１の一次側には、上記透析液供給通路２３と透析液回収通路２４とを連通させる第１バイパス通路３１が接続され、該第１バイパス通路３１には上記制御手段の制御によって開閉される第２開閉弁Ｖ８が設けられている。
透析治療中、上記第１開閉弁Ｖ７は開放されるとともに上記第２開閉弁Ｖ８は閉鎖されているが、例えば図示しない濃度センサによって濃度の不良が検出された場合には、上記第１開閉弁Ｖ７を閉鎖して第２開閉弁Ｖ８を開放することにより、不良透析液を透析器２を通過させずに、第１バイパス通路３１を介して透析液回収通路２４へと送液することが可能となっている。
【００１３】
上記透析液回収通路２４の下流部分は２方向に分岐してそれぞれ上記第１、第２透析液チャンバ２１、２２の回収室２１ｂ、２２ｂに接続され、この分岐部分にはそれぞれ制御手段の制御によって開閉される回収弁Ｖ９，Ｖ１０が設けられている。
一方透析液回収通路２４の上流部分はコネクタ２４ａを介して上記透析器２に接続可能となっており、透析液回路４を洗浄する際には透析器２から離脱されるとともに、上記透析液供給通路２３のコネクタ２３ａと接続されるようになっている。
また透析液回収通路２４には、透析液を送液する透析液ポンプ３２が設けられており、上記第１バイパス通路３１は上記透析液ポンプ３２と透析器２との間に接続されている。
さらに透析液回収通路２４における上記透析液ポンプ３２と第１バイパス通路３１との間には、該透析液回収通路２４と上記水供給通路２５とを接続する第２水供給通路３３の一端が接続されており、この第２水供給通路３３には上記制御手段の制御によって開閉される第３開閉弁Ｖ１１が設けられている。
また、第２水供給通路３３の他端は、上記水供給通路２５における上記透析液原液通路２７の接続位置よりも上流側の位置に接続されている。
【００１４】
上記水供給通路２５に接続される透析液原液通路２７について説明すると、本実施例の透析液原液通路２７は、Ａ液タンク５に接続されたＡ液タンク通路４１と、Ｂ液タンク６に接続されたＢ液タンク通路４２と、原液供給設備７のＡ液供給ポート７Ａに接続されたＡ液設備通路４３と、Ｂ液供給ポート７Ｂに接続されたＢ液設備通路４４とから構成されている。
上記Ａ液タンク通路４１の一端には上記Ａ液タンク５に挿入されてＡ液を吸引するためのノズル４１ａが設けられるとともに、他端は上記水供給通路２５に接続されており、この接続部分には上記制御手段の制御によって該Ａ液タンク通路４１を開閉する第４開閉弁Ｖ１２が設けられている。
これと同様、Ｂ液タンク通路４２の一端にはＢ液タンク６に挿入されるノズル４２ａが設けられるとともに、他端は上記水供給通路２５に接続され、接続部分にはＢ液タンク通路４２を開閉する第５開閉弁Ｖ１３が設けられている
上記Ａ液設備通路４３の一端にはコネクタ４３ａが設けられており、このコネクタ４３ａによって上記原液供給設備７のＡ液供給ポート７Ａに接続可能となっている。また他端は上記Ａ液タンク通路４１に接続され、接続部分には上記制御手段の制御によって該Ａ液設備通路４３を開閉する第６開閉弁Ｖ１４が設けられている。
これと同様、上記Ｂ液設備通路４４の一端には上記原液供給設備７のＢ液供給ポート７Ｂに接続可能なコネクタ４４ａが設けられており、また他端は上記Ｂ液タンク通路４２に接続され、接続部分には該Ｂ液設備通路４４を開閉する第７開閉弁Ｖ１５が設けられている。
さらに、上記Ａ液、Ｂ液タンク通路４１、４２における上記Ａ液、Ｂ液設備通路４３、４４の接続部分よりも上流側には、それぞれ上記制御手段の制御によって該Ａ液、Ｂ液タンク通路４１、４２を開閉する第８、第９開閉弁Ｖ１６、Ｖ１７が設けられている。
上記構成により、例えば上記Ａ液、Ｂ液タンク５、６のＡ液、Ｂ液を用いて透析液を調製する際には、上記ノズル４１ａ、４２ａをＡ液、Ｂ液タンク５、６に挿入し、さらに上記Ａ液、Ｂ液設備通路４３、４４の第６、第７開閉弁Ｖ１４、Ｖ１５を閉鎖した状態で、Ａ液、Ｂ液タンク通路４１、４２の第４、第５開閉弁Ｖ１２、Ｖ１３および第８、第９開閉弁Ｖ１６、Ｖ１７を開放するようになっている。
一方、上記原液供給設備７のＡ液、Ｂ液を用いて透析液を調製する際には、上記ノズル４１ａ、４１ｂをＡ液、Ｂ液タンク５、６から離脱させた状態で使用するようになっており、上記Ａ液、Ｂ液設備通路４３、４４の第６、第７開閉弁Ｖ１４、Ｖ１５を開放するとともに、Ａ液、Ｂ液タンク通路４１、４２の第４、第５開閉弁Ｖ１２、Ｖ１３を開放し、さらに第８、第９開閉弁Ｖ１６、Ｖ１７を閉鎖するようになっている。
【００１５】
上記水供給通路２５に接続される洗浄液原液通路２８について説明すると、本実施例の洗浄液原液通路２８の一端は洗浄液の原液を貯溜する洗浄液タンク５１に接続され、他端は分岐した後一端が上記水供給通路２５に接続され、他端はさらに分岐して後述する洗浄液廃液通路５２を構成する、上記ノズル４１ａ、４２ａを収容する収容部材としての２つのさや５３ａ、５４ａにそれぞれ接続されている。
また上記洗浄液原液通路２８と水供給通路２５との接続部分には、上記制御手段の制御によって洗浄液原液通路２８を開閉する第１０開閉弁Ｖ１８が設けられ、洗浄液原液通路２８が上記水供給通路２５と洗浄液廃液通路５２とに分岐する分岐部分には第１１開閉弁Ｖ１９が設けられている。
【００１６】
そして本実施例における血液透析装置１には、上記洗浄液の原液から調製した洗浄液を上記透析液原液通路２７に流通させてこれを洗浄するようになっており、この洗浄に用いた洗浄液を排出するため、上記透析液原液通路２７には洗浄液廃液通路５２が接続されている。
具体的に説明すると、本実施例の洗浄液廃液通路５２は、上記Ａ液タンク通路４１の洗浄液を排出するためのＡ液タンク通路洗浄通路５３と、上記Ｂ液タンク通路４２の洗浄液を排出するためのＢ液タンク通路洗浄通路５４と、上記Ａ液設備通路４３の洗浄液を排出するためのＡ液設備通路洗浄通路５５と、上記Ｂ液設備通路４４の洗浄液を排出するためのＢ液設備通路洗浄通路５６とから構成されている。
上記Ａ液タンク通路洗浄通路５３は、一端が上記透析液廃液通路２９に接続され、他端には上記Ａ液タンク通路４１の端部に設けられたノズル４１ａを収容するさや５３ａが設けられ、さらに上記さや５３ａの近傍には制御手段の制御によってＡ液タンク通路洗浄通路５３を開閉する第１２開閉弁Ｖ２０が設けられている。
上記さや５３ａは上記ノズル４１ａよりも大径で有底筒状を有しており、その内部に洗浄液を貯溜させることが可能となっており、上記Ａ液タンク通路洗浄通路５３はその上部に接続され、上記洗浄液原液通路２８はさや５３ａの下方に接続されている。
これと同様、上記Ｂ液タンク通路洗浄通路５４は、一端が上記Ａ液タンク通路洗浄通路５３に接続されて上記透析液廃液通路２９に連通し、他端には上記Ｂ液タンク通路４２のノズル４２ａを収容するさや５４ａが設けられ、上記さや５４ａの近傍にはＢ液タンク通路洗浄通路５４を開閉する第１３開閉弁Ｖ２１が設けられている。
次に上記Ａ液設備通路洗浄通路５５の一端には上記Ａ液設備通路４３のコネクタ４３ａと接続可能なコネクタ５５ａが設けられるとともに、他端は上記洗浄液原液通路２８に接続されており、上記Ｂ液設備通路洗浄通路５６の一端には上記Ｂ液設備通路４４のコネクタ４４ａと接続可能なコネクタ５６ａが設けられるとともに、他端は上記洗浄液原液通路２８に接続されている。
このような構成により、上記Ａ液、Ｂ液設備通路洗浄通路５５，５６は、上記洗浄液原液通路２８および上記さや５３ａ、５４ａを介して上記Ａ液タンク通路洗浄通路５３またはＢ液タンク通路洗浄通路５４に連通しており、さらにはこのＡ液、Ｂ液タンク通路洗浄通路５３，５４を介して上記透析液廃液通路２９に連通するようになっている。
つまり、上記Ａ液、Ｂ液設備通路洗浄通路５５，５６に洗浄液を流通させることで、この洗浄液を上記透析液廃液通路２９より排液することが可能となっている。
【００１７】
以下、上記構成を有する血液透析装置１の動作について説明する。最初に上記Ａ液タンク５およびＢ液タンク６のＡ液、Ｂ液を用いて透析液を調製し、透析治療を行う際の動作について説明する。
このとき、Ａ液、Ｂ液タンク通路４１、４２のノズル４１ａ、４２ａは、上記Ａ液、Ｂ液タンク通路洗浄通路５３，５４のさや５３ａ、５４ａから取り外されるとともに、それぞれＡ液、Ｂ液タンク５、６に挿入されている。
一方、上記Ａ液、Ｂ液設備通路４３、４４は原液供給設備７のＡ液、Ｂ液供給ポート７Ａ、７Ｂには接続されておらず、また上記洗浄液原液通路２８の第８、第９開閉弁Ｖ１６、Ｖ１７はそれぞれ閉鎖されている。
さらに、Ａ液、Ｂ液タンク通路４１、４２の第４、第５開閉弁Ｖ１２、Ｖ１３を閉鎖し、さらに第１透析液チャンバ２１に隣接する給液弁Ｖ１と排液弁Ｖ３とを開放するとともに供給弁Ｖ５と回収弁Ｖ９とを閉鎖する。
一方、上記水供給通路２５の給液ポンプ２６を作動させて第１透析液チャンバ２１の供給室２１ａに所定量の浄水を供給し、その後給液ポンプ２６を停止させる。
続いてＡ液タンク通路４１の第４開閉弁Ｖ１２を開放し、上記第１透析液チャンバ２１のシリコーンオイルポンプ３０Ａを作動させて中間室２１ｃの容積を減少させ、これによりＡ液タンク通路４１を介してＡ液タンク５から所定量のＡ液を供給室２１ａに供給する。
さらに、上記第４開閉弁Ｖ１２を閉鎖するとともにＢ液タンク通路４２の第５開閉弁Ｖ１３を開放し、上記シリコーンオイルポンプ３０Ａにより中間室２１ｃの容積を減少させることで、Ｂ液タンク通路４２を介してＢ液タンク６から所定量のＢ液を供給室２１ａに供給する。
そして、上記第４、第５開閉弁Ｖ１２、Ｖ１３を閉鎖してから、再び上記給液ポンプにより供給室２１ａに浄水を供給することで、該供給室２１ａの内部には所定の割合で浄水、Ａ液、Ｂ液が貯留され、これらが混合されることにより透析液が調製される。
このようにして供給室２１ａで透析液が調製されると、回収室２１ｂからは同量の使用済み透析液が透析液廃液通路２９へと排出され、このときシリコーンオイルポンプ３０Ａを作動させなければ、供給室２１ａで調製される透析液と、回収室２１ｂから排出される透析液の量とが同量となる。
このとき、上記シリコーンオイルポンプ３０Ａを作動させて中間室２１ｃの容積を減少させると、回収室２１ｂ内に回収される透析液の量が増大し、負圧により透析器２において血液から除水することが可能となっている。
さらに他方、上記第２透析液チャンバ２２では、隣接する供給弁Ｖ６と回収弁Ｖ１０とを開放するとともに給液弁Ｖ２と排液弁Ｖ４とを閉鎖することで、回収室２２ｂには上記透析液ポンプ３２によって送液された使用済みの透析液が流入し、同時に供給室２２ａからは同量の新鮮な透析液が透析液供給通路２３を介して透析器２に供給される。
その後、上記制御手段が上記給液弁Ｖ１，Ｖ２、排液弁Ｖ３，Ｖ４、供給弁Ｖ５，Ｖ６、回収弁Ｖ９，Ｖ１０を交互に開閉することで、第１、第２透析液チャンバ２１、２２からの新鮮な透析液を透析液供給通路２３を介して透析器２へと供給し、透析器２を通過した使用済みの透析液は上記透析液回収通路２４を介して第１、第２透析液チャンバ２１、２２に回収され、透析治療が行なわれる。
【００１８】
このようにして透析治療が終了した後、本実施例の血液透析装置１では、透析器２から透析液供給通路２３と透析液回収通路２４とを離脱させて、これらをコネクタ２３ａ、２４ａによって相互に接続し、上記透析液回路４および上記透析液原液通路２７を以下のように洗浄する。
まず上記Ａ液、Ｂ液タンク通路４１、４２の端部に設けたノズル４１ａ、４２ａをそれぞれＡ液、Ｂ液タンク５、６より取り外し、これを上記Ａ液、Ｂ液タンク通路洗浄通路５３，５４のさや５３ａ、５４ａに挿入する（図２）。
また上記Ａ液、Ｂ液タンク通路４１、４２の第４、第５開閉弁Ｖ１２、Ｖ１３を閉鎖し、さらに上記Ａ液、Ｂ液設備通路４３、４４の第６、第７開閉弁Ｖ１４、Ｖ１５を閉鎖する。
さらに、第１透析液チャンバ２１に隣接する給液弁Ｖ１と排液弁Ｖ３を開放するとともに供給弁Ｖ５と回収弁Ｖ９を閉鎖する。
そして、上記洗浄液原液通路２８の第１０、第１１開閉弁Ｖ１８、Ｖ１９を開放する。
この状態で第１透析液チャンバ２１のシリコーンオイルポンプ３０Ａを作動させて中間室２１ｃの容積を減少させることにより、洗浄液タンク５１内の洗浄液の原液が上記供給室２１ａに供給される。
このように第１透析液チャンバ２１の供給室２１ａに所定量の洗浄液の原液が供給されると、続いて上記洗浄液原液通路２８の第１０、第１１開閉弁Ｖ１８、Ｖ１９を閉鎖し、上記水供給通路２５の給液ポンプ２６を作動させる。
これにより、浄水が供給室２１ａに供給され、該供給室２１ａの内部で洗浄液の原液と浄水とが混合され、所定の濃度の洗浄液が調製される。
【００１９】
このようにして第１透析液チャンバ２１の供給室２１ａで洗浄液が調製されると、次にこの調製された洗浄液によってＡ液タンク通路４１およびＢ液タンク通路４２の洗浄を順次行う（図３）。
具体的には、最初に上記Ａ液タンク通路４１の第４開閉弁Ｖ１２および第８開閉弁Ｖ１６と、Ａ液タンク通路洗浄通路５３の第１２開閉弁Ｖ２０とを開放し、Ｂ液タンク通路洗浄通路５４の第１３開閉弁Ｖ２１を閉鎖する。
また第１透析液チャンバ２１では、隣接する給液弁Ｖ１および回収弁Ｖ９を開放するとともに、廃液弁Ｖ３および供給弁Ｖ５を閉鎖し、さらに透析液回収通路２４に接続した上記第２水供給通路３３の第３開閉弁Ｖ１１を開放するとともに、上記透析液ポンプ３２を作動させる。
すると、第２水供給通路３３を介して浄水が第１透析液チャンバ２１の回収室２１ｂに流入し、これにより上記供給室２１ａで調製された洗浄液は上記水供給通路２５へと流出する。
その後、この洗浄液は上記Ａ液タンク通路４１へと流入し、このとき洗浄液はＡ液タンク通路４１を透析治療時におけるＡ液の流通方向とは逆方向に流通することで、上記ノズル４１ａまで到達する。
上記ノズル４１ａはＡ液タンク通路洗浄通路５３のさや５３ａに収容されているため、洗浄液はノズル４１ａから流出して、さや５３ａに流入する。
さや５３ａでは、洗浄液の液面が徐々に上昇して、該洗浄液の液面が上記Ａ液タンク通路洗浄通路５３の接続位置に到達すると、洗浄液はその後当該Ａ液タンク通路洗浄通路５３を流通して上記透析液廃液通路２９に流入し、排液される。
この操作により、上記Ａ液タンク通路４１は所定の濃度に調製された洗浄液を流通させることで洗浄され、また上記ノズル４１ａでは当該ノズル４１ａから洗浄液が流通するため、ノズル４１ａを確実に洗浄することが可能となっている。
そして、Ａ液タンク通路４１の洗浄が終了したら、引き続きＢ液タンク通路４２の洗浄を行うが、その動作は上記Ａ液タンク通路４１の洗浄と同様の動作となるため詳細な説明は省略する。
【００２０】
このようにしてＡ液タンク通路４１およびＢ液タンク通路４２の洗浄が終了すると、上記Ａ液、Ｂ液タンク通路４１、４２の第４、第５開閉弁Ｖ１２、Ｖ１３が閉鎖されるとともに、上記第２水供給通路３３の第３開閉弁Ｖ１１が閉鎖される。
その後、上記洗浄液原液通路２８における第１０、第１１開閉弁Ｖ１８、Ｖ１９が開放され、上記第１、第２透析液チャンバ２１、２２に隣接する上記給液弁Ｖ１，Ｖ２、排液弁Ｖ３，Ｖ４、供給弁Ｖ５，Ｖ６、回収弁Ｖ９，Ｖ１０が交互に開閉される。
これにより、第１、第２透析液チャンバ２１、２２の供給室２１ａ，２２ａで交互に洗浄液が調製されるとともに、この洗浄液は透析液供給通路２３および透析液回収通路２４を流通してこれらを洗浄し、さらに第１、第２透析液チャンバ２１、２２の回収室２１ｂ、２２ｂに交互に回収された後に上記透析液廃液通路２９から排出されるようになっている。
【００２１】
次に、図４は原液供給設備７のＡ液、Ｂ液を用いて透析液を調製した場合における、上記Ａ液、Ｂ液設備通路４３、４４の洗浄を行う場合の動作を説明する図となっている。なお図４ではすでに図２で示したように上記第１透析液チャンバ２１の供給室２１ａの内部で所定の濃度の洗浄液が調製されているものとする。
Ａ液、Ｂ液設備通路４３、４４の洗浄を行う場合、それまで原液供給設備７のＡ液、Ｂ液供給ポート７Ａ、７Ｂに接続されていた上記Ａ液、Ｂ液設備通路４３、４４を離脱させ、それぞれコネクタ４３ａ、４４ａを上記Ａ液、Ｂ液設備通路洗浄通路５５，５６のコネクタ５５ａ、５６ａにそれぞれ接続する。
さらに、上記Ａ液、Ｂ液タンク通路洗浄通路５３，５４のさや５３ａ、５４ａはＡ液、Ｂ液タンク通路４１、４２のノズル４１ａ、４２ａに装着しておく。
最初にＡ液設備通路４３の洗浄を行う場合、Ａ液タンク通路４１の第４開閉弁Ｖ１２を開放するとともに上記第８開閉弁Ｖ１６を閉鎖し、Ａ液タンク通路洗浄通路５３の第１２開閉弁Ｖ２０を開放し、上記洗浄液原液通路２８の第１０、第１１開閉弁Ｖ１８、Ｖ１９を閉鎖し、上記Ａ液設備通路洗浄通路５５の第６開閉弁Ｖ１４を開放する。
また第１透析液チャンバ２１では、隣接する給液弁Ｖ１および回収弁Ｖ９を開放するとともに、廃液弁Ｖ３および供給弁Ｖ５を閉鎖し、さらに透析液回収通路２４に接続した上記第２水供給通路３３の第３開閉弁Ｖ１１を開放する。
その状態で透析液回収通路２４の透析液ポンプ３２を作動させると、第１透析液チャンバ２１の回収室２１ｂに水が流入して供給室２１ａの洗浄液は水供給通路２５からＡ液タンク通路４１に流入する。
その後、この洗浄液は上記Ａ液タンク通路４１からＡ液設備通路４３へと流入し、このとき洗浄液はＡ液設備通路４３を透析治療時におけるＡ液の流通方向とは逆方向に流通し、その後上記Ａ液設備通路洗浄通路５５を流通する。
そして、Ａ液設備通路洗浄通路５５を流通した洗浄液は上記洗浄液原液通路２８に流入した後、上記Ａ液タンク通路洗浄通路５３のさや５３ａまで流通し、その後上記Ａ液タンク通路洗浄通路５３から透析液廃液通路２９を介して排液される。
このようにしてＡ液設備通路４３の洗浄が終了したら、引き続きＢ液設備通路４４の洗浄を行うが、その動作は上記Ａ液設備通路４３の洗浄と同様の動作となるため詳細な説明は省略する。
【００２２】
以上のように、本実施例における血液透析装置１によれば、透析治療後におけるＡ液およびＢ液が流通する透析液原液通路２７を、所定濃度に調製された洗浄液によって洗浄することができる。
このとき、調製された洗浄液を、上記Ａ液、Ｂ液タンク通路４１、４２、Ａ液、Ｂ液設備通路４３、４４の内部を透析治療時におけるＡ液、Ｂ液の流通方向とは逆方向に流通させることで、上記実施例のような複雑な配管を有する血液透析装置１であっても、これを洗浄することが可能となっている。
これに対し上記特許文献１では、透析液原液通路を調製されていない洗浄液を流通させて洗浄しており、確実な洗浄が行われておらず、また調製した洗浄液を透析液回収通路および水供給通路を流通させた後に透析液原液通路に流通させる必要がないことから、血液中の老廃物が水供給通路２５や原液供給通路に流入することはなく、これらの通路が汚染されることはない。
【００２３】
なお、上記実施例はＡ液、Ｂ液タンク５、６を備えるとともに原液供給設備７にも接続可能な血液透析装置１について説明したが、いずれか一方からＡ液、Ｂ液を供給する血液透析装置１であっても、同様の方法により原液供給通路を洗浄することが可能である。
例えば原液供給設備７のみからＡ液、Ｂ液の供給を受ける場合、上記実施例からＡ液、Ｂ液タンク通路４１、４２、Ａ液、Ｂ液タンク通路洗浄通路５３，５４を省略することができ、このとき上記Ａ液、Ｂ液設備通路洗浄通路５５，５６については、上記実施例と異なり、これを直接上記透析液廃液通路２９に接続するような構成とすればよい。
【符号の説明】
【００２４】
１  血液透析装置                  ２  透析器
５  Ａ液タンク                    ６  Ｂ液タンク
７  原液供給設備                  ２１  第１透析液チャンバ
２２  第２透析液チャンバ          ２５  水供給通路
２７  透析液原液通路              ２８  洗浄液原液通路
３３  第２水供給通路              ４１  Ａ液タンク通路
４２  Ｂ液タンク通路              ４３  Ａ液設備通路
４４  Ｂ液設備通路                ５１  洗浄液タンク
５２  洗浄液廃液通路              ５３  Ａ液タンク通路洗浄通路
５４  Ｂ液タンク通路洗浄通路      ５５  Ａ液設備通路洗浄通路
５６  Ｂ液設備通路洗浄通路
【図１】
0005760758.tif 000002
【図２】
0005760758.tif 000003
【図３】
0005760758.tif 000004
【図４】
0005760758.tif 000005